(57)【要約】  本発明は、ＳＥＬＴテストに対する改善に関し、より詳細には、元の信号の完全性を犠牲にすることなしに反射信号のひずみの影響を低減するための方法および装置に関する。実施形態では、本発明による方法は、送信シーケンスを、低周波数トーンを利用し、より良く「励起する」ために、最初に変更することからなる。実施形態では、本方法は、低周波数で変換器ロールオフを補償することを含む。他の実施形態では、本方法は、受信された周波数領域Ｓ１１シーケンス中のギャップをＳ１１信号の予測または推定されたバージョンで埋めることを含む。【選択図】図１
2017515346.tif 000002
【特許請求の範囲】
【請求項１】
ｘＤＳＬモデム中でシングルエンド回線テスト（ＳＥＬＴ）を実行する方法であって、
前記ｘＤＳＬモデムのためのバンドプランにおける利用可能なトーンを使用して送信シンボルのシーケンスを構成することと、
構成された送信シンボルの前記シーケンスを、前記構成された送信シンボル中の低周波数トーンを利用し、より良く励起するために、変更することと、
前記ｘＤＳＬモデムのハイブリッドを通して、変更された構成された送信シンボルに対応する受信シンボルを同時に検知しながら、前記ハイブリッドを通して、前記変更された構成された送信シンボルの前記シーケンスを送信することと
を備える、方法。
【請求項２】
構成することは、前記利用可能なトーンに共通ＱＡＭコンスタレーションポイントをマッピングすることを含み、変更することは、前記ｘＤＳＬモデムのための前記バンドプランに含まれない追加の低周波数トーンに前記共通ＱＡＭコンスタレーションポイントをマッピングすることを含む、
請求項１に記載の方法。
【請求項３】
前記バンドプランは、ＶＤＳＬ２システムに関連し、前記追加の低周波数トーンは、トーン１〜５である、
請求項２に記載の方法。
【請求項４】
変更することは、前記低周波数トーンに補償利得を適用することを含む、
請求項１に記載の方法。
【請求項５】
前記補償利得は、前記ｘＤＳＬモデム中の変換器のロールオフに対応する、
請求項４に記載の方法。
【請求項６】
前記ロールオフは、あらかじめ決定され、前記ｘＤＳＬモデムに記憶されている、
請求項５に記載の方法。
【請求項７】
構成することは、前記バンドプランにおいてアップストリームトーンとダウンストリームトーンの両方を使用することを含む、
請求項１に記載の方法。
【請求項８】
構成することは、前記アップストリームトーンと前記ダウンストリームトーンとに共通ＱＡＭコンスタレーションポイントをマッピングすることを含み、変更することは、前記ｘＤＳＬモデムのための前記バンドプランに含まれない追加の低周波数トーンに前記共通ＱＡＭコンスタレーションポイントをマッピングすることを含む、
請求項７に記載の方法。
【請求項９】
前記構成された送信シンボルは、ＲＥＶＥＲＢシンボルである、
請求項１に記載の方法。
【請求項１０】
ｘＤＳＬモデムのためにシングルエンド回線テスト（ＳＥＬＴ）を実行するための装置であって、
前記ｘＤＳＬモデムのためのバンドプランにおける利用可能なトーンを使用して送信シンボルのシーケンスを構成するマッパと、
構成された送信シンボルの前記シーケンスを、前記構成された送信シンボル中の低周波数トーンを利用し、より良く励起するために、変更するＳＥＬＴブロックと、
前記ｘＤＳＬモデムのハイブリッドを通して、変更された構成された送信シンボルの前記シーケンスを送信するための送信経路と、
前記ハイブリッドを通して、前記変更された構成された送信シンボルに対応する受信シンボルを同時に検知するための受信経路と
を備える、装置。
【請求項１１】
前記マッパは、前記利用可能なトーンに共通ＱＡＭコンスタレーションポイントをマッピングすることによって、構成された送信シンボルの前記シーケンスを構成し、前記ＳＥＬＴブロックは、前記マッパに、前記ｘＤＳＬモデムのための前記バンドプランに含まれない追加の低周波数トーンに前記共通ＱＡＭコンスタレーションポイントをさらにマッピングさせる、
請求項１０に記載の装置。
【請求項１２】
前記バンドプランは、ＶＤＳＬ２システムに関連し、前記追加の低周波数トーンは、トーン１〜５である、
請求項１１に記載の装置。
【請求項１３】
前記ＳＥＬＴブロックは、前記低周波数トーンに補償利得を適用する低周波数利得補償ブロックを含む、
請求項１０に記載の装置。
【請求項１４】
前記補償利得は、前記ｘＤＳＬモデム中の変換器のロールオフに対応する、
請求項１３に記載の装置。
【請求項１５】
前記ロールオフは、あらかじめ決定され、前記ｘＤＳＬモデムに記憶されている、
請求項１４に記載の装置。
【請求項１６】
前記マッパは、前記バンドプランにおいてアップストリームトーンとダウンストリームトーンの両方を使用する、
請求項１０に記載の装置。
【請求項１７】
前記マッパは、前記アップストリームトーンと前記ダウンストリームトーンとに共通ＱＡＭコンスタレーションポイントをマッピングすることによって、構成された送信シンボルの前記シーケンスを構成し、前記ＳＥＬＴブロックは、前記マッパに、前記ｘＤＳＬモデムのための前記バンドプランに含まれない追加の低周波数トーンに前記共通ＱＡＭコンスタレーションポイントをさらにマッピングさせる、
請求項１６に記載の装置。
【請求項１８】
前記構成された送信シンボルは、ＲＥＶＥＲＢシンボルである、
請求項１０に記載の装置。
【発明の詳細な説明】
【関連出願の相互参照】
【０００１】
[0001]本出願は、その内容全体が参照により本明細書に組み込まれる、２０１４年３月２７日に出願された、米国仮出願第６１／９７１，３８９号の優先権を主張する。
【技術分野】
【０００２】
[0002]本発明は、一般にＳＥＬＴテストに関し、より詳細には、元の信号の完全性を犠牲にすることなしに反射信号のひずみの影響を低減するための方法および装置に関する。
【背景技術】
【０００３】
[0003]シングルエンド回線テスト（ＳＥＬＴ：Single Ended Line Testing）は、それによって、一例として、このサービスの性能に悪影響を及ぼすことがある様々な障害および他の欠陥を識別するために、ｘＤＳＬ（すなわちＡＤＳＬ、ＶＤＳＬ２など）接続のループ配線状態が決定され、利用され得る、一技法である。これらの障害は、ほんのいくつかの例を挙げれば、たとえば、ブリッジタップ、不良スプライス（bad splice）および回線切断からなることがある。ＳＥＬＴ技法は、知られているシーケンスを送信しながら、配線障害が、識別され、場合によっては分類されることを可能にする様式で、それの反射されたバージョンを同時に受信し、この反射を処理することを伴う。
【０００４】
[0004]現在のＳＥＬＴ技法は、回線の障害または欠陥によってではなく、固有のまたは体系的な制限によって反射信号がひずむときに生じることがある問題に対処しない。したがって、当技術分野では、所望の信号のひずみの影響をできる限り緩和する必要がある。たとえば、元の信号の完全性を犠牲にすることなしにこのひずみの影響が大幅に低減され得る方法を有することが望ましいであろう。
【発明の概要】
【０００５】
[0005]本発明は、ＳＥＬＴテストに対する改善に関し、より詳細には、元の信号の完全性を犠牲にすることなしに反射信号のひずみの影響を低減するための方法および装置に関する。実施形態では、本発明による方法は、送信シーケンスを、低周波数トーンを利用し、より良く「励起する」ために、最初に変更することからなる。これらおよび他の実施形態では、本方法は、低周波数で変換器ロールオフを補償することを含む。他の実施形態では、本方法は、受信された周波数領域Ｓ１１シーケンス中のギャップをＳ１１信号の予測または推定されたバージョンで埋めることを含む。
【０００６】
[0006]これらおよび他の態様によれば、本発明の実施形態による、ｘＤＳＬモデム中でシングルエンド回線テスト（ＳＥＬＴ）を実行する方法は、ｘＤＳＬモデムのためのバンドプランにおける利用可能なトーンを使用して送信シンボルのシーケンスを構成することと、構成された送信シンボルのシーケンスを、構成された送信シンボル中の低周波数トーンを利用し、より良く励起するために、変更することと、ｘＤＳＬモデムのハイブリッドを通して、変更された構成された送信シンボルに対応する受信シンボルを同時に検知しながら、ハイブリッドを通して、変更された構成された送信シンボルのシーケンスを送信することとを含む。
【０００７】
[0007]さらに、上記および他の態様によれば、ｘＤＳＬモデムのためにシングルエンド回線テスト（ＳＥＬＴ）を実行するための装置は、ｘＤＳＬモデムのためのバンドプランにおける利用可能なトーンを使用して送信シンボルのシーケンスを構成するマッパと、構成された送信シンボルのシーケンスを、構成された送信シンボル中の低周波数トーンを利用し、より良く励起するために、変更するＳＥＬＴブロックと、ｘＤＳＬモデムのハイブリッドを通して、変更された構成された送信シンボルのシーケンスを送信するための送信経路と、ハイブリッドを通して、変更された構成された送信シンボルに対応する受信シンボルを同時に検知するための受信経路とを含む。
【図面の簡単な説明】
【０００８】
[0008]本発明の特定の実施形態の以下の説明を添付の図と併せて検討すれば、当業者には、本発明のこれらおよび他の態様および特徴が明らかになろう。
【図１】本発明のいくつかの実施形態による、例示的なＳＥＬＴ装置のブロック図。
【図２】本発明の実施形態による、例示的な方法を示すフローチャート。
【図３】本発明の態様による、例示的な変換器応答および補償利得を示すグラフ。
【図４】本発明の実施形態による、生成された例示的な時間領域信号を示すグラフ。
【図５】本発明の代替実施形態による、時間領域への変換の前に変更された例示的なＳ１１の図。
【発明を実施するための形態】
【０００９】
[0014]次に、本発明について図面を参照しながら詳細に説明し、図面は、当業者が本発明を実施できるようにするために、本発明の説明的な例として提供されるものである。特に、以下の図および例は、本発明の範囲を単一の実施形態に限定するものではなく、説明または図示される要素の一部または全部の交換によって、他の実施形態も可能である。さらに、本発明のいくつかの要素が、知られている構成要素を使用して部分的にまたは完全に実装され得る場合、本発明を不明瞭にしないように、そのような既知の構成要素の、本発明の理解のために必要である部分のみについて説明し、そのような既知の構成要素の他の部分の詳細な説明は省略される。本明細書で別段に規定されていない限り、当業者に明らかになるように、ソフトウェアで実装されるものとして説明される実施形態は、それに限定されるべきではなく、ハードウェア、またはソフトウェアとハードウェアとの組合せで実装される実施形態を含むことがあり、その逆も同様である。本明細書で別段に明記されていない限り、本明細書では、単数の構成要素を示す実施形態は、限定的と見なされるべきではなく、むしろ、本発明は、複数の同じ構成要素を含む他の実施形態を包含するものとし、その逆も同様である。さらに、出願人は、そのようなものとして明示的に記載されていない限り、本明細書または特許請求の範囲におけるどんな用語にも、まれなまたは特殊な意味があるものとはしない。さらに、本発明は、本明細書で例として言及される既知の構成要素に対する、現在および将来の、既知の均等物を包含する。
【００１０】
[0015]本発明の実施形態は、元の信号の完全性を犠牲にすることなしに反射ＳＥＬＴ信号中のひずみの影響を低減するための方法および装置を含む。
【００１１】
[0016]いくつかの態様によれば、本発明者は、反射信号の後処理が、一例として、逆高速フーリエ変換（ｉＦＦＴ：inverse Fast Fourier Transform）など、よく知られている技法を使用して、測定された周波数領域信号を時間領域信号に変換することを部分的に伴うことを認識する。「最適な」送信信号は、たとえば、０Ｈｚから１７ＭＨｚまでの範囲に十分にわたるスペクトル的に平坦な周波数領域信号からなるであろう。ｘＤＳＬトランシーバでは、これは、１７ＭＨｚ帯にわたる合計４０９６個のトーンをもたらす４．３１２５ＫＨｚのトーン間隔でマルチキャリア信号を送信することを伴い、各トーンは同じ振幅を有するであろう。
【００１２】
[0017]上述のように、後処理は、反射ピークが、配線障害などを決定するために識別および分類され得るように、時間領域への、Ｓ１１として知られる、周波数領域反射係数の変換を部分的に伴う。しかしながら、本発明者は、ハードウェア制限により、送信信号が、この範囲全体にわたることが、特に０Ｈｚ（すなわちＤＣ）の周りのエリアにおいて、常に可能であるとは限らないことを認識する。さらに、一般的なｘＤＳＬトランシーバは、まさにそれらの性質によって、ＤＣを通さない、変換器結合を使用する。これに加えて、ハイパス影響があり、周波数応答は、変換器応答に応じて、ある使用可能な周波数、通常、約１０ｋＨｚほどに達するまでロールオフする。ＳＥＬＴ受信信号の観点から、最初の数トーン中に情報がない。したがって、これらのトーンは、事実上「ゼロアウト」され、これは、それらが反射の周波数領域表現において事実上０に等しいことを意味する。これは、周波数領域におけるトランケーションと等価である。
【００１３】
[0018]基本変換理論は、周波数領域におけるトランケーションが、事実上、矩形ウィンドウ処理の形態であると述べている。周波数領域における矩形ウィンドウの適用は、時間領域におけるサインパルス（すなわちｓｉｎ（ｘ）／ｘ）との畳み込みと等価である。本発明者は、この影響は、「有用な」反射情報が、現在、サイン応答に重畳されていることであり、配線障害の識別および分類がはるかに困難になることを認識する。言い換えれば、このデータを時間領域に変換したとき、このウィンドウ処理の影響は、リップルの形態で可視になり、それは、サインパルスとの所望の信号の畳み込みからの直接的結果である。このコンポジット信号は、現在、所望の信号のひずんだバージョンであり、反射ピークを確実に識別する能力を妨害する。
【００１４】
[0019]本開示では、これは、時間領域トレース線形性と呼ばれる。このコンテキストでは、サインパルスとの畳み込みから生じる時間領域応答は「線形でないまたは非線形」として分類されるが、サインパルスとの畳み込みを含んでいない応答は「線形」として分類されるであろう。
【００１５】
[0020]したがって、本発明の実施形態は、この非線形性と、ＳＥＬＴ信号中の他のひずみとの影響を低減することを目的とする。
【００１６】
[0021]図１は、本発明の実施形態による、例示的なＳＥＬＴブロック１００を示すブロック図である。図示のように、ブロック１００は、ｘＤＳＬモデムの送信チェーン１５０と受信チェーン１６０との間に配置される。本発明の実施形態は、ｘＤＳＬモデムチップセットと、Ｉｋａｎｏｓ  Ｃｏｍｍｕｎｉｃａｔｉｏｎｓによって提供されるＶｘｌ８５プラットフォームなどの関連するファームウェアとによって実装され得る。本例によって教示された後に、本発明のＳＥＬＴ機能とともにこれらおよび他のチップセットを適応させることによって本発明をどのように実装すべきかを、当業者は理解されよう。
【００１７】
[0022]一般的なｘＤＳＬモデムは、ＳＥＬＴテストを開始し、実行し、結果を収集し、記憶するか、または送信することなどのためになど、図１に示されている構成要素と対話することができるコントローラと他のプロセッサとを含む、図１に示されている構成要素よりも多くの追加の構成要素を含むことに留意されたい。そのような構成要素および機能は当業者によく知られており、したがって、それらのさらなる詳細は、本発明の明快のためにここでは省略される。
【００１８】
[0023]さらに、本発明による装置は、図１に示されているようにｘＤＳＬモデムに組み込まれることに限定されないことに留意されたい。たとえば、本発明の実施形態は、専用テスト機器、リモートテスト機器、サーバ側モデムなどに組み込まれ得る。
【００１９】
[0024]図示のように、本発明の実施形態によるブロック１００は、以下でより詳細に説明するように、マッパ１０２に、ＳＥＬＴテストを実行するためのシンボルを形成させる、ＳＥＬＴシーケンスブロック１２０を含む。マッパ１０２によって形成されるシンボルは、以下でより詳細に説明するように、低周波数ロールオフを補償するために、低周波数利得補償ブロック１２２によってさらに処理される。調整されたシンボルは、ｉＦＦＴ１０４によって時間領域に変換され、Ａ／Ｄ１０６によってアナログ信号に変換され、ハイブリッド１０８を介してモデムのチップ／リング接続上に送信される。一方、調整されていないシンボル（Ｔｘ）は、Ｓ１１計算ブロック１２４に与えられる。送信信号の反射は、ハイブリッド１０８を介して同時に検知され、Ａ／Ｄ１１０によってデジタル化され、ＦＦＴ１１２によって周波数領域に変換される。デマッパ１１４によってデータに変換されるのではなく、反射シンボル（Ｒｘ）はＳ１１計算器ブロック１２４に与えられる。送信シンボル（Ｔｘ）と反射シンボル（Ｒｘ）とを使用して、ブロック１２４は、知られている技法を使用してＳ１１信号を決定する（たとえばＳ１１＝Ｒｘ／Ｔｘ）。ブロック１２４からの周波数領域Ｓ１１信号は、従来の様式で分析され得る時間領域反射測定（ＴＤＲ：time domain reflectrometry）信号を形成するために、以下でより詳細に説明するように、ｉＦＦＴ１２６によって時間領域に変換され、フィルタ１２８によってフィルタ処理される。
【００２０】
[0025]本発明の実施形態による例示的な方法が図２に示されている。この方法について、ｘＤＳＬモデム技術における当業者によって諒解されるように、上記で説明したＳＥＬＴブロック１００の動作に関して、ならびに関連するコントローラおよびプロセッサによって説明する。しかしながら、本発明の方法は、図１示されている例示的なブロックによって実行されることに限定されず、専用テスト機器、リモートテスト機器などの中に含まれ得る。
【００２１】
[0026]いくつかの態様によれば、本発明の実施形態は、ＳＥＬＴテスト中に使用されるシンボルが送信される前に、それらを変更する。図示のように、第１のステップＳ２０２は、低周波数トーンを利用するために送信シンボルシーケンスを変更することからなる。たとえば、ＶＤＳＬ２に従って動作するモデムを使用するＳＥＬＴテスト中に、ブロック１２０は、マッパ１０４に、すべての利用可能なトーン（たとえば、従来のＶＤＳＬ２システムのバンドプランにおけるトーン６〜４０９６）がまったく同じＱＡＭコンスタレーションポイント（たとえば、［１，０］または［１，１］）を使用して変調される、ＲＥＶＥＲＢシンボルの４ｋＨｚ周期送信シーケンスを生成させることがある。好ましくは、アップストリームバンドとダウンストリームバンドの両方からのトーンが使用される（たとえば、その内容全体が参照により本明細書に組み込まれる、２０１４年７月２４日に出願された米国特許出願第１４／３３９，８６２号参照）が、これは、すべての実施形態において必要であるとは限らない。実施形態では、シーケンスは、約５秒〜約２４０秒の間実行される。
【００２２】
[0027]しかしながら、特に、従来のＳＥＬＴテストとは異なり、本発明の態様によれば、ステップＳ２０２において、ブロック１２０は、さらに、マッパ１０４に、他のトーン６〜４０９６にマッピングされた同じコンスタレーションポイントを使用して最低周波数トーン１〜５をも変調するシンボルを生成させる。したがって、変更されたシンボルは「最適な」送信信号により近くなり、それにより、上記で説明したウィンドウ処理影響を実質的に克服する。
【００２３】
[0028]いくつかの他の態様によれば、ステップＳ２０４において、変換器ロールオフの影響を部分的に補償する。本発明の実施形態では、これは、正味効果が、トランシーバチップ／リング端子において見られるようにスペクトル的に平坦な信号であるように、変換器ロールオフに対して逆の様式で、低周波数トーンの送信電力を増加させることによって、補償ブロック１２２中で行われる。たとえば、図３は、これらの態様の一例を示すグラフである。図３中のプロット３０２は、ＤＣの近くの鋭いロールオフを示す変換器応答の一例である。この応答を知ると、ブロック１２２は、マッパ１０２からのマッピングされたシンボルがｉＦＦＴ１０４に与えられる前に、プロット３０４に示されている周波数依存利得などの周波数依存利得をそれらのシンボルに適用することができる。
【００２４】
[0029]ブロック１２２によって適用される利得が決定され得る多くの方法がある。たとえば、特定のモデム設計のすべてのモデム中で使用されるべき変換器は事前に分析され得、利得はモデムに事前プログラムされ得る。別の例として、変換器ロールオフは、ＳＥＬＴテストの時間にまたはその前に動的に測定され得る。
【００２５】
[0030]次のステップＳ２０６は、変更された信号を送信することを含む。これは、図１に示されているｘＤＳＬモデムに関して上記で説明したように従来の様式で行われ得る。
【００２６】
[0031]次のステップＳ２０８は、反射信号Ｒｘを同時に受信することを含み、これは、図１に示されているｘＤＳＬモデムに関して上記で説明したように従来の様式で行われ得る。
【００２７】
[0032]次に、ステップＳ２１０において、ブロック１２４によって（たとえば、ＴｘとＲｘとの間の比を決定することによって）周波数領域Ｓ１１信号を計算し、たとえば、ｉＦＦＴを使用して周波数領域Ｓ１１信号を時間領域に変換する。ＳＥＬＴテストが、上記で説明したように５〜２４０秒のスパンにわたって４ｋＨｚレートで送信されるシンボルを使用して実行されるとき、Ｓ１１信号と、分析されるべき最終ＴＤＲ信号とを形成するために、送信スパンにわたる受信シンボルの平均値が形成され、使用され得ることに留意されたい。
【００２８】
[0033]次のステップＳ２１２において、ブロック１２８中で、たとえば、有限インパルス応答（ＦＩＲ：Finite Impulse Response）ローパスフィルタによって、時間領域信号をフィルタ処理する。低周波数カットオフは、好ましくは、得られた時間領域信号の完全性を犠牲にすることなしに高周波雑音を除去するように選定される。フィルタ処理後の最終ＴＤＲ信号は、出力され、当業者に知られているＳＥＬＴ技法を使用して分析され得る。たとえば、その内容全体が参照により本明細書に組み込まれる、本譲受人が所有する、米国特許出願第１４／３４１，５３８号および第１４／３４１，５７６号参照。
【００２９】
[0034]図４は、本発明の態様による、例示的なＴＤＲ信号を示すプロットである。図４は、取得されたＴＤＲ信号を比較しており、ここにおいて、送信信号は、ステップＳ２０２およびＳ２０４に関して上記で説明した様式で変更されている。図４は、さらに、元の処理されていない送信信号を使用して取得されたＴＤＲ信号を示している。図示のように、元の送信信号を使用したＴＤＲ信号は、ｘ軸の下方に特徴的な「ディップ」を呈する。これは、上記で説明したように、周波数領域データをウィンドウ処理し、ｉＦＦＴ演算子の使用によってこれを時間領域に変換することの結果である。トーン５を下回るトーンにわたるように送信信号を拡張することによって、特徴的なディップは、図４の変更されたＴＤＲトレースにおいて見られるように、大部分は除去される。
【００３０】
[0035]図４にさらに示されているように、元の受信時間領域信号と比較して、変更された受信時間領域信号は、第１の正のピークまではるかに平坦な応答を呈する。時間領域応答の分析は、負方向のピークとして、元のトレースにおいてｘ軸の下方のディップに間違ってフラグを付けることがあり、これは、もちろん真のライントポロジーを表さない。変更された受信時間領域信号は、このディップを呈さず、したがって誤解されない。
【００３１】
[0036]この技法の別の利点は、所望の信号の完全性が維持されることである。さらに、必要とされる最小追加処理のみがある。
【００３２】
[0037]図５は、本発明の代替実施形態の態様を示すグラフである。この代替実施形態は、上記で説明した本発明の例示的な方法におけるステップＳ２０２において行われるように、送信信号中の低周波数トーンを使用することが可能でないかまたは望まれない場合に使用され得る。図５の例に示されているように、より低いトーン１〜５のためのＳ１１信号中の消失した周波数領域情報５０２が、線形予測の使用によって、再構成または推定される。これは、当業者によく知られている線形予測技法を使用してブロック１２４によって実装され得る。Ｓ１１信号が高度に相関する応答を有するので、残りのサンプルを推定するために線形予測子を使用することが可能であり、それにより、ＤＣに対するギャップを埋める。この動作の正味効果は、得られた時間領域信号が（すなわちｉＦＦＴブロック１２６による処理の後に）周波数領域トランケーションの可視アーティファクトなしにクリーンアップされ得ることである。
【００３３】
[0038]本発明について、それの好ましい実施形態に関して詳細に説明したが、本発明の趣旨および範囲から逸脱することなく、形態および詳細の変更および修正が行われ得ることは、当業者に直ちに明らかであろう。添付の特許請求の範囲は、そのような変更および修正を包含するものとする。
【図１】
2017515346.tif 000003
【図２】
2017515346.tif 000004
【図３】
2017515346.tif 000005
【図４】
2017515346.tif 000006
【図５】
2017515346.tif 000007
【国際調査報告】
2017515346.tif 000008
2017515346.tif 000009
2017515346.tif 000010